(57)【要約】【課題】表面だけでなく裏面についても、図柄に対する認知度を高めることができ、偽造を判別しやすく、偽造しにくい偽造防止媒体を提供すること。【解決手段】本発明の偽造防止媒体（１Ａ）は、基材（１）の一方の面には第１図柄（１１）が印刷され、基材（１）の他方の面にはホログラム（２０）が貼付され、ホログラム（２０）にはホログラム層（６）により第２図柄（２１）が形成され、第１図柄（１１）を形成する第１主要素と、第２図柄（２１）を形成する第２主要素とを同一としたことを特徴とする。【選択図】        図１
2018164978.tif 000002
【特許請求の範囲】
【請求項１】
基材の一方の面には第１図柄が印刷され、前記基材の他方の面にはホログラムが貼付され、前記ホログラムにはホログラム層により第２図柄が形成された偽造防止媒体であって、
前記第１図柄を形成する第１主要素と、前記第２図柄を形成する第２主要素とを同一としたことを特徴とする偽造防止媒体。
【請求項２】
前記基材の第１領域に前記第１図柄が印刷され、前記基材の第２領域に前記ホログラムが貼付され、前記基材には前記第１領域と前記第２領域との間に第３領域が形成され、前記第１領域又は前記第２領域を、前記第３領域に重なるように前記基材を折り曲げた場合に、前記第１図柄及び前記第２図柄が前記第１領域又は前記第２領域によって覆われることがなく、前記第１図柄と前記第２図柄とを並べて視認できることを特徴とする請求項１に記載の偽造防止媒体。
【請求項３】
前記第１領域又は前記第２領域を、前記第３領域に重なるように前記基材を折り曲げた場合に、前記第１図柄と前記第２図柄との方向が一致して視認できることを特徴とする請求項２に記載の偽造防止媒体。
【請求項４】
前記第１図柄には第１副要素を、前記第２図柄には第２副要素を有し、前記第１副要素と前記第２副要素とを異ならせ、前記第１主要素及び前記第２主要素が、アウトラインとして視認され、前記第１副要素又は前記第２副要素が、彩色又は凹凸として視認されることを特徴とする請求項１から請求項３までのいずれかに記載の偽造防止媒体。
【請求項５】
前記ホログラムには第３図柄を形成し、第１視点からは前記第３図柄は視認できず、前記第２図柄が視認され、前記第１視点とは異なる第２視点からは、前記第２図柄に代えて前記第３図柄が視認できることを特徴とする請求項１から請求項４までのいずれかに記載の偽造防止媒体。
【請求項６】
前記第２図柄は前記ホログラム層の構造により奥行き感が有ると視認されることを特徴とする請求項１から請求項４までのいずれかに記載の偽造防止媒体。
【請求項７】
前記第１図柄及び前記第２図柄と異なる第４図柄を、前記ホログラムに形成したことを特徴とする請求項１から請求項６までのいずれかに記載の偽造防止媒体。
【発明の詳細な説明】
【技術分野】
【０００１】
本発明は、視認によって偽造防止を図ることができる偽造防止媒体に関するものである。
【背景技術】
【０００２】
特許文献１では、透かし、印刷による付加的エレメント及び浮出し模様をセキュリティエレメントとし、これらの複数のセキュリティエレメントを同一モチーフとすることが開示されている。
また、偽造防止を目的として、従来からホログラムが利用されている（例えば特許文献２〜特許文献４）。
【先行技術文献】
【特許文献】
【０００３】
【特許文献１】特表２００４−５０８２２６号公報
【特許文献２】特開２０１７−７１９３号公報
【特許文献３】特開２０１２−２２５９７５号公報
【特許文献４】特開２００７−２４０７８７号公報
【発明の概要】
【発明が解決しようとする課題】
【０００４】
特許文献１に開示されているように、偽造防止効果を高めるためには、複数のセキュリティエレメントを設けることが好ましい。また、個々のセキュリティエレメントを視認によって真偽判別することは容易ではなく、特許文献１で開示しているように、複数のセキュリティエレメントを同一モチーフとすることは有効である。
しかし、特許文献１は、これら複数のセキュリティエレメントを一方の面だけに設けるものである。
偽造防止媒体は、表面を認識して利用する場合が多いが、裏面で利用することもあり、裏面にもセキュリティエレメントを設ける場合がある。
一方、一般に多く利用されているホログラムは、奥行き感がなく二次元的に視認されるものであり、このような通常のホログラムでは、ドットマトリクスマシーンの性能が向上していることから偽造が比較的容易である。
【０００５】
そこで本発明は、表面だけでなく裏面についても、図柄に対する認知度を高めることができ、偽造を判別しやすく、偽造しにくい偽造防止媒体を提供することを目的とする。
【課題を解決するための手段】
【０００６】
請求項１記載の本発明の偽造防止媒体は、基材の一方の面には第１図柄が印刷され、前記基材の他方の面にはホログラムが貼付され、前記ホログラムにはホログラム層により第２図柄が形成された偽造防止媒体であって、前記第１図柄を形成する第１主要素と、前記第２図柄を形成する第２主要素とを同一としたことを特徴とする。
請求項２記載の本発明は、請求項１に記載の偽造防止媒体において、前記基材の第１領域に前記第１図柄が印刷され、前記基材の第２領域に、前記ホログラムが貼付され、前記基材には、前記第１領域と前記第２領域との間に第３領域が形成され、前記第１領域又は前記第２領域を、前記第３領域に重なるように前記基材を折り曲げた場合に、前記第１図柄及び前記第２図柄が前記第１領域又は前記第２領域によって覆われることがなく、前記第１図柄と前記第２図柄とを並べて視認できることを特徴とする。
請求項３記載の本発明は、請求項２に記載の偽造防止媒体において、前記第１領域又は前記第２領域を、前記第３領域に重なるように前記基材を折り曲げた場合に、前記第１図柄と前記第２図柄との方向が一致して視認できることを特徴とする。
請求項４記載の本発明は、請求項１から請求項３までのいずれかに記載の偽造防止媒体において、前記第１図柄には第１副要素を、前記第２図柄には第２副要素を有し、前記第１副要素と前記第２副要素とを異ならせ、前記第１主要素及び前記第２主要素が、アウトラインとして視認され、前記第１副要素又は前記第２副要素が、彩色又は凹凸として視認されることを特徴とする。
請求項５記載の本発明は、請求項１から請求項４までのいずれかに記載の偽造防止媒体において、前記ホログラムには前記第３図柄を形成し、第１視点からは、前記第３図柄は視認できず、前記第２図柄が視認され、前記第１視点とは異なる第２視点からは、前記第２図柄に代えて前記第３図柄が視認できることを特徴とする。
請求項６記載の本発明は、請求項１から請求項４までのいずれかに記載の偽造防止媒体において、前記第２図柄は前記ホログラム層の構造により奥行き感が有ると視認されることを特徴とする。
請求項７記載の本発明は、請求項１から請求項６までのいずれかに記載の偽造防止媒体において、前記第１図柄及び前記第２図柄と異なる第４図柄を、前記ホログラムに形成したことを特徴とする。
【発明の効果】
【０００７】
本発明の偽造防止媒体によれば、表面だけでなく裏面についても、図柄に対する認知度を高めることができ、また表面の図柄と裏面の図柄との対比によって識別性を高めることで偽造を判別しやすくできる。
【図面の簡単な説明】
【０００８】
【図１】本発明の第１実施例による偽造防止媒体を示す構成図
【図２】第１実施例による偽造防止媒体を示す説明図
【図３】第２実施例による偽造防止媒体を示す平面図
【図４】第３実施例による偽造防止媒体を示す平面図
【図５】第４実施例による偽造防止媒体を示す平面図
【図６】第５実施例による偽造防止媒体を示す平面図
【発明を実施するための形態】
【０００９】
本発明の第１の実施の形態による偽造防止媒体は、第１図柄を形成する第１主要素と、第２図柄を形成する第２主要素とを同一としたものである。本実施の形態によれば、基材の一方の面に印刷された第１図柄と、基材の他方の面に貼付されたホログラムの第２図柄とに対して、第１図柄を形成する第１主要素と、第２図柄を形成する第２主要素とを同一とすることで、基材の一方の面だけでなく他方の面についても、図柄に対する認知度を高めることができ、また第１図柄と第２図柄との対比によって識別性を高めることで、偽造を判別しやすくできる。
【００１０】
本発明の第２の実施の形態は、第１の実施の形態による偽造防止媒体において、基材の第１領域に第１図柄が印刷され、基材の第２領域に、ホログラムが貼付され、基材には、第１領域と第２領域との間に第３領域が形成され、第１領域又は第２領域を、第３領域に重なるように基材を折り曲げた場合に、第１図柄及び第２図柄が第１領域又は第２領域によって覆われることがなく、第１図柄と第２図柄とを並べて視認できるものである。本実施の形態によれば、第１図柄と第２図柄とを並べて視認でき、対比によって視認できることで、偽造を判別しやすくできる。
【００１１】
本発明の第３の実施の形態は、第２の実施の形態による偽造防止媒体において、第１領域又は第２領域を、第３領域に重なるように基材を折り曲げた場合に、第１図柄と第２図柄との方向が一致して視認できるものである。本実施の形態によれば、第１図柄と第２図柄との方向を一致させることで、対比による偽造判別が更にしやすい。本発明の「方向が一致」とは、基材を折り曲げて対比する際、対比する図柄の天地左右が同じことをいう。
【００１２】
本発明の第４の実施の形態は、第１から第３までのいずれかの実施の形態による偽造防止媒体において、第１図柄には第１副要素を、第２図柄には第２副要素を有し、第１副要素と第２副要素とを異ならせ、第１主要素及び第２主要素が、アウトラインとして視認され、第１副要素又は第２副要素が、彩色又は凹凸として視認されるものである。本実施の形態によれば、アウトラインが同一であるため、対比による偽造判別がしやすく、彩色又は凹凸での相違を設けることで、偽造しづらくデザイン性に優れている。
【００１３】
本発明の第５の実施の形態は、第１から第４までのいずれかの実施の形態による偽造防止媒体であって、ホログラムには第３図柄を形成し、第１視点からは、第３図柄は視認できず、第２図柄が視認され、第１視点とは異なる第２視点からは、第２図柄に代えて第３図柄が視認できるものである。本実施の形態によれば、ホログラムであることを明確に視認させることができるとともに偽造しにくくすることができる。
【００１４】
本発明の第６の実施の形態は、第１から第４までのいずれかの実施の形態による偽造防止媒体であって、第２図柄はホログラム層の構造により奥行き感が有ると視認されるものである。本実施の形態によれば、更に第２図柄を奥行き感が有ると視認されるホログラム構造とすることで、偽造しにくくすることができる。
【００１５】
本発明の第７の実施の形態は、第１から第６までのいずれかの実施の形態による偽造防止媒体であって、第１図柄及び第２図柄と異なる第４図柄を、ホログラムに形成したものである。本実施の形態によれば、ホログラムに第３図柄を形成してもよく、第３図柄をホログラムに形成することで、偽造しにくくすることができる。
【実施例】
【００１６】
以下本発明の一実施例による偽造防止媒体について説明する。
図１は第１実施例による偽造防止媒体を示す構成図である。図１（ａ）は同偽造防止媒体の一方の面、図１（ｂ）は同偽造防止媒体の他方の面、図１（ｃ）はホログラムの構成を示している。
本実施例による偽造防止媒体（１Ａ）は、主に、銀行券、旅券、有価証券、パスポート、株券、商品券、印紙、チケット、紙幣又は証明書である。
偽造防止媒体（１Ａ）として用いる基材（１）は、印刷可能な材料であり、紙やプラスチックシートが用いられる。基材（１）は、紙やプラスチックシートを単体で用いたものでもよいが、紙とプラスチックシートとの積層体でもよく、また、紙の少なくとも一面をコーティングしたものでもよい。
偽造防止媒体（１Ａ）は、図１（ａ）に示すように、基材（１）の一方の面には第１図柄（１１）が印刷され、図１（ｂ）に示すように、基材（１）の他方の面にはホログラム（２０）が貼付されている。
【００１７】
パッチ型のホログラム（２０）は、基材（１）の辺から所定の距離を離した位置に貼付される。
ホログラム（２０）は、図１（ｃ）に示すように、保護層（２）、光学的回折層（３）、光反射層（４）及び接着剤層（５）が順に積層され、光学的回折層（３）と光反射層（４）とでホログラム層（６）を形成している。
ホログラム（２０）には、ホログラム層（６）により第２図柄（２１）が形成されている。ホログラム層（６）は、例えば、陰影が付加されることで立体感をもって視認される構造である。例えば、リップマンホログラムやエンボスホログラムを用いることができる。したがって、第２図柄（２１）は、奥行き感が有ると視認される。
【００１８】
第１図柄（１１）は、第１主要素と第１副要素とから形成されている。第２図柄（２１）は、第２主要素と第２副要素とから形成されている。
ここで、第１主要素及び第２主要素はアウトラインであり、例えば、山の輪郭として視認されるものである。
アウトラインである第１主要素と第２主要素とは同一としている。
第１副要素及び第２副要素は、彩色として視認されるものである。第１副要素と第２副要素とは彩色を異ならせている。
【００１９】
本実施例によれば、基材（１）の一方の面に印刷された第１図柄（１１）と、基材（１）の他方の面に貼付されたホログラム（２０）の第２図柄（２１）とに対して、第１図柄（１１）を形成する第１主要素と、第２図柄（２１）を形成する第２主要素とを同一とすることで、基材（１）の一方の面だけでなく他方の面についても、第１図柄（１１）及び第２図柄（２１）に対する認知度を高めることができ、また第１図柄（１１）と第２図柄（２１）との対比によって識別性を高めることで偽造を判別しやすくでき、更に第２図柄（２１）を奥行き感が有ると視認されるホログラム構造とすることで、偽造しにくくすることができる。
また、本実施例によれば、アウトラインが同一であるため、対比による偽造判別がしやすく、彩色での相違を設けることで、偽造しづらくデザイン性に優れている。
なお、図１では、表示を省略しているが、基材（１）には、料額、文字及び模様が印刷され、すき入れで付与した画像や凹版印刷で付与した凹版画線による画像を、第１図柄（１１）及びホログラム（２０）とは別の偽造防止部として設けてもよい。
【００２０】
図２は第１実施例による偽造防止媒体を示す説明図である。図２（ａ）は同偽造防止媒体の第１領域から第３領域までを示し、図２（ｂ）は同偽造防止媒体の一部を折り曲げた状態を示している。
基材（１）は、図２（ａ）に示すように、第１図柄（１１）が印刷される第１領域（Ｘ）、ホログラム（２０）が貼付される第２領域（Ｙ）、第１領域（Ｘ）と第２領域（Ｙ）との間に形成される第３領域（Ｚ）で構成される。
図２（ｂ）に示すように、第１領域（Ｘ）を、第３領域（Ｚ）に重なるように基材（１）を折り曲げた場合に、第２図柄（２１）が第１領域（Ｘ）によって覆われることがなく、第１図柄（１１）と第２図柄（２１）とを並べて視認できる。
なお、第２領域（Ｙ）を、第３領域（Ｚ）に重なるように基材（１）を折り曲げた場合に、第１図柄（１１）が第２領域（Ｙ）によって覆われることがなく、第１図柄（１１）と第２図柄（２１）とを並べて視認できる。
また、図２（ｂ）に示すように、第１領域（Ｘ）を、第３領域（Ｚ）に重なるように基材（１）を折り曲げた場合に、第１図柄（１１）と第２図柄（２１）との方向が一致して視認できる。
本実施例によれば、第１図柄（１１）と第２図柄（２１）とを並べて視認でき、対比によって視認できることで、偽造を判別しやすくできる。
また、本実施例によれば、第１図柄（１１）と第２図柄（２１）との方向を一致させることで、対比による偽造判別が更にしやすい。
【００２１】
図３は第２実施例による偽造防止媒体を示す平面図である。図３（ａ）は同偽造防止媒体の一方の面、図３（ｂ）は同偽造防止媒体の他方の面を示している。
本実施例による偽造防止媒体（１Ｂ）についても、第１実施例と同様に、第１図柄（１１）は第１主要素と第１副要素とから形成され、第２図柄（２１）は第２主要素と第２副要素とから形成されている。また、第１実施例と同様に、第１主要素及び第２主要素はアウトラインとして視認されるものである。アウトラインである第１主要素と第２主要素とは同一としている。
本実施例による第１副要素及び第２副要素は、凹凸として視認されるものである。第１副要素は、感触によって感知できる凹凸である。このような凹凸は、凹版印刷によって形成できる。
本実施例によれば、アウトラインが同一であるため、対比による偽造判別がしやすく、凹凸での相違を設けることで、偽造しづらくデザイン性に優れている。
【００２２】
図４は第３実施例による偽造防止媒体を示す平面図である。図４（ａ）は同偽造防止媒体の他方の面を第１視点から視認した状態、図４（ｂ）は同偽造防止媒体の他方の面を第２視点から視認した状態を示している。なお、図４では同偽造防止媒体の一方の面を図示しないが、同偽造防止媒体の一方の面には、図１（ａ）又は図３（ａ）に示す第１図柄（１１）が印刷されている。
本実施例による偽造防止媒体（１Ｃ）の他方の面に貼付されたホログラム（２０）は、第２図柄（２１）とともに第３図柄（２３）を形成している。
そして、ホログラム（２０）は、図４（ａ）に示すように第１視点からは、第３図柄（２３）は視認できず第２図柄（２１）を視認でき、図４（ｂ）に示すように第１視点とは異なる第２視点からは、第２図柄（２１）に代えて第３図柄（２３）を視認できる。このようなホログラム（２０）には、例えば、レリーフ型ホログラムやレインボー型ホログラムを用いることができる。
本実施例によれば、ホログラム（２０）であることを明確に視認させることができるとともに偽造しにくくすることができる。
なお、第２図柄（２１）と第３図柄（２３）とは、主要素を同一として、例えば、階調表現や色合いが異なって視認されるものであってもよい。
【００２３】
なお、第１実施例又は第２実施例のホログラム（２０）についても、例えば、第３実施例と同様に、視点を変えることで、第２図柄（２１）と第３図柄（２３）とを択一的に視認できるものとしてもよい。
【００２４】
図５は第４実施例による偽造防止媒体を示す平面図である。図５（ａ）は同偽造防止媒体の一方の面、図５（ｂ）は同偽造防止媒体の他方の面を示している。
本実施例による偽造防止媒体（１Ｄ）の他方の面に貼付されたホログラム（２０）は、第１図柄（１１）及び第２図柄（２１）と異なる第４図柄（２４）を第２図柄（２１）とともに形成している。第４図柄（２４）は、ホログラム層（６）により形成されていることが好ましいが、その他の方法によって形成されたものでもよい。その他の方法として、ホログラム層（６）を形成する光反射層（４）の一部を除去して光透過性領域を形成し、この光透過性領域に第４図柄（２４）を形成してもよい。また、偽造防止媒体（１Ｄ）を貼付する基材（１）に透かしや模様によって第４図柄（２４）を形成し、光反射層（４）の一部を除去した光透過性領域からこの第４図柄（２４）を視認できるようにしてもよい。
本実施例によれば、第４図柄（２４）をホログラム（２０）に形成することで、偽造しにくくすることができる。
【００２５】
図６は第５実施例による偽造防止媒体を示す平面図である。図６（ａ）は同偽造防止媒体の一方の面、図６（ｂ）は同偽造防止媒体の他方の面を示している。
本実施例の偽造防止媒体（１Ｅ）では、ストライプ型のホログラム（２０）を、基材（１）に貼付した状態を示している。ストライプ型のホログラム（２０）は、基材（１）の一対の対向する辺の間に、一方の辺から他方の辺にわたって貼付される。
なお、第１実施例から第４実施例までにおけるパッチ型のホログラム（２０）を、本実施例のようなストライプ型のホログラム（２０）に変更してもよい。
【産業上の利用可能性】
【００２６】
本発明によるホログラムは、視認によって偽造防止を図ることができるが、機械読み取りによる自動判別を行うこともできる。
【符号の説明】
【００２７】
１  基材
１Ａ、１Ｂ、１Ｃ、１Ｄ、１Ｅ  偽造防止媒体
２  保護層
３  光学的回折層
４  光反射層
５  接着剤層
６  ホログラム層
１１  第１図柄
２０  ホログラム
２１  第２図柄
２３  第３図柄
２４  第４図柄
Ｘ  第１領域
Ｙ  第２領域
Ｚ  第３領域
【図１】
2018164978.tif 000003
【図２】
2018164978.tif 000004
【図３】
2018164978.tif 000005
【図４】
2018164978.tif 000006
【図５】
2018164978.tif 000007
【図６】
2018164978.tif 000008